(57)【要約】  【課題】視覚によらずに各操作キーを認識して、操作を容易に行えるようにする。  【解決手段】ＡＶ機器の一例であるテレビにおいて、操作キーの１つとして、他の操作キーと異なる形状または位置に音声コールキーを設け、各操作キーの内容を通知する音声データを各操作キー毎に関連付けて記憶部に記憶しておく。音声コールキーが一回押下されると、音声コールモードを開始するとともに、記憶部から対応する音声データを読み出して該データに基づく音声をスピーカから出力させる。また、音声コールモード中に他の操作キーが押下されると、記憶部から対応する音声データを読み出して該データに基づく音声をスピーカから出力させる。さらに、音声コールモード中に音声コールキーが一回押下されると、音声コールモードを解除するとともに、記憶部から対応する音声データを読み出して該データに基づく音声をスピーカから出力させる。【選択図】  図５
2006254263.tif 000002
【特許請求の範囲】
【請求項１】
本体およびリモートコントローラに設けられた複数の操作キーと、本体に設けられ、リモートコントローラから発信される各操作キーの押下状態を示す信号を受信するリモコン受信部と、各操作キーの操作に応じて各部の動作を制御する制御部とを備え、放送電波より所定のチャンネルのテレビジョン信号を抽出して、該信号に基づく映像をディスプレイに表示させかつ音声をスピーカから出力させるテレビジョン受像機において、
前記操作キーの１つであって、他の操作キーと異なる形状または位置に設けられ、前記スピーカから音声を出力させる音声コールモードを開始および解除する音声コールキーと、
前記各操作キーの内容を通知する音声データが各操作キー毎に関連付けて記憶され、かつ前記操作キーのうち視聴するチャンネルを切り替えるチャンネルキーに対して各チャンネルを識別可能な複数種類の前記音声データが記憶された記憶部と、
前記音声データに基づいて前記スピーカに音声を出力させることが可能な音声信号を生成する信号処理部と、を備え、
前記音声コールキーが一回押下されると、前記制御部は、前記音声コールモードを開始するとともに、前記記憶部から対応する前記音声データを読み出して前記信号処理部に該データに基づく前記音声信号を生成させて前記スピーカから該信号に基づく音声を出力させ、
前記リモートコントローラに設けられた前記音声コールキーの押下状態が継続されると、前記リモートコントローラは該押下状態を示す信号を発信し続け、前記制御部は、前記リモートコントローラが発信した該信号を前記リモコン受信部によって受信し続けている間、前記スピーカから前記音声を繰り返し出力させ、
前記音声コールモード中に前記音声コールキー以外の前記操作キーのいずれかが押下されると、前記制御部は、前記記憶部から対応する前記音声データを読み出して前記信号処理部に該データに基づく前記音声信号を生成させて前記スピーカから該信号に基づく音声を出力させ、
前記音声コールキーが所定時間内に複数回連続して押下されると、前記制御部は、前記音声コールモード中に前記チャンネルキーが押下されたときに取り扱う前記音声データの種類を前記音声コールキーの操作によって選択する方法を前記信号処理部および前記スピーカを介して音声により通知し、通知後選択された種類の前記音声データを取り扱い可能に設定し、
前記音声コールモード中に前記音声コールキーが一回押下されると、前記制御部は、前記音声コールモードを解除するとともに、前記記憶部から対応する前記音声データを読み出して前記信号処理部に該データに基づく前記音声信号を生成させて前記スピーカから該信号に基づく音声を出力させることを特徴とするテレビジョン受像機。
【請求項２】
押下操作する複数の操作キーと、各操作キーの操作に応じて各部の動作を制御する制御手段とを備えたＡＶ機器において、
前記操作キーの１つであって、他の操作キーと異なる形状または位置に設けられ、音声出力手段から音声を出力させる音声コールモードを開始および解除する音声コールキーと、
前記各操作キーの内容を通知する音声データが各操作キー毎に関連付けて記憶された記憶手段と、
前記音声データに基づいて前記音声出力手段に音声を出力させることが可能な音声信号を生成する信号処理手段と、を備え、
前記制御手段は、
前記音声コールキーが一回押下されると、前記音声コールモードを開始するとともに、前記記憶手段から対応する前記音声データを読み出して前記信号処理手段に該データに基づく前記音声信号を生成させて前記音声出力手段へ出力させ、
前記音声コールモード中に前記音声コールキー以外の前記操作キーのいずれかが押下されると、前記記憶手段から対応する前記音声データを読み出して前記信号処理手段に該データに基づく前記音声信号を生成させて前記音声出力手段へ出力させ、
前記音声コールモード中に前記音声コールキーが一回押下されると、前記音声コールモードを解除するとともに、前記記憶手段から対応する前記音声データを読み出して前記信号処理手段に該データに基づく前記音声信号を生成させて前記音声出力手段へ出力させることを特徴とするＡＶ機器。
【請求項３】
請求項２に記載のＡＶ機器において、
前記操作キーが設けられ、各操作キーの押下状態を示す信号を発信するリモートコントローラと、
該ＡＶ機器の本体に設けられ、前記リモートコントローラが発信した信号を受信する受信手段と、を備え、
前記リモートコントローラは、前記音声コールキーの押下状態が継続している間、該押下状態を示す信号を発信し続け、
前記制御手段は、前記リモートコントローラが発信した前記音声コールキーの押下状態を示す信号を前記受信手段によって受信し続けている間、対応する前記音声データに基づく前記音声信号を前記信号処理手段から前記音声出力手段へ繰り返し出力させることを特徴とするＡＶ機器。
【請求項４】
請求項２または請求項３に記載のＡＶ機器において、
前記記憶手段には、所定の前記操作キーに対して複数種類の前記音声データが記憶されていて、
前記制御手段は、前記音声コールモード中に所定の前記操作キーが押下されたときに取り扱う前記音声データの種類を前記操作キーの操作によって選択させて設定することを特徴とするＡＶ機器。
【発明の詳細な説明】
【技術分野】
【０００１】
本発明は、複数の操作キーが設けられたテレビジョン受像機およびＡＶ機器に関するものである。
【背景技術】
【０００２】
例えばテレビジョン受像機（以下、単に「テレビ」という。）等のＡＶ（Audio Visual）機器には、該機器の本体およびリモートコントローラ（以下、単に「リモコン」という。）に複数の操作キーが設けられている。特に、ビデオカセットやＤＶＤ（Digital Versatile Disk）等の記録媒体に記録された映像および音声の再生や記録媒体への映像および音声の記録を行うビデオデッキやＤＶＤプレーヤ等が内蔵されたテレビのような複合型のＡＶ機器では、チャンネルキーや音量キーといった単一型のテレビ等に標準設置の操作キーだけでなく、記録媒体の再生、早送り、巻戻し、および録画といった内蔵の機器を操作する種々の操作キーがリモコン等に多数設けられている。
【０００３】
操作キーの名称、機能、または該キーの操作に応じたＡＶ機器の動作等といった内容は、一般に、操作キーの表面や、操作キーが設けられた本体やリモコンのフレーム等に印字によって常時表示されている。また、操作キーの内容は、操作キーが操作されたときに、ＡＶ機器に備わるＶＦＤ（蛍光表示管）やＣＲＴ（陰極線管）等のディスプレイに一時的に表示されることもある。しかし、これらはいずれも操作キーの内容を視覚的に通知するので、目の不自由な人にとっては、また周囲が暗かったり操作キーやディスプレイの近くに寄れなかったりして操作キーの内容の表示が見難い状況では、どれがどの操作キーであるかを認識することが困難であった。このため、操作キーを誤操作したり、所望の操作キーの操作に時間がかかったりして、操作を容易に行えなかった。
【０００４】
一方、下記の特許文献１には、ラジオやテレビ等において、電源投入後に放送受信状態になったとき、受信周波数や受信チャンネルを変えたとき、または音声報知スイッチが押されたときに、受信している周波数またはチャンネルを音声によりスピーカを介して報知することが開示されている。また、下記の特許文献２には、ラジオやテレビ等において、周波数表示用データまたはチャンネル表示用データに相当する音声信号を音声合成回路のメモリに書き込んでおき、受信周波数や受信チャンネルを変えて安定した後等に、受信している周波数またはチャンネルに相当する音声信号をメモリから取り出して、スピーカから音声を出力することが開示されている。
【特許文献１】特開昭５７−１９２１４２号公報
【特許文献２】特開昭５８−５０２０号公報
【発明の開示】
【発明が解決しようとする課題】
【０００５】
上述した特許文献１、２の技術では、機器が現在受信している周波数またはチャンネルを音声によって通知するので、目の不自由なユーザ等は現在視聴している周波数またはチャンネルを認識することはできるが、各操作キーがどのようなキーであるかを認識することはできない。このため、特許文献１に開示された音声報知スイッチでさえ操作するのが困難である。つまり、上述したように操作キーを誤操作したり、所望の操作キーの操作に時間がかかったりして、操作を容易に行えない。
【０００６】
本発明は、以上の問題点を解決するものであって、その課題とするところは、視覚によらずに各操作キーを認識して、操作を容易に行えるようにすることである。
【課題を解決するための手段】
【０００７】
本発明では、押下操作する複数の操作キーと、各操作キーの操作に応じて各部の動作を制御する制御手段とを備えたＡＶ機器において、操作キーの１つであって、他の操作キーと異なる形状または位置に設けられ、音声出力手段から音声を出力させる音声コールモードを開始および解除する音声コールキーと、各操作キーの内容を通知する音声データが各操作キー毎に関連付けて記憶された記憶手段と、音声データに基づいて音声出力手段に音声を出力させることが可能な音声信号を生成する信号処理手段とを備える。なお、「各操作キーの内容」とは、各操作キーの名称または各操作キーの操作に応じた機能若しくは動作等のような、各操作キーを識別する情報のことである。
【０００８】
この構成において、制御手段は、音声コールキーが一回押下されると、音声コールモードを開始するとともに、記憶手段から対応する音声データを読み出して信号処理手段に該データに基づく音声信号を生成させて音声出力手段へ出力させる。また、制御手段は、音声コールモード中に音声コールキー以外の操作キーのいずれかが押下されると、記憶手段から対応する音声データを読み出して信号処理手段に該データに基づく音声信号を生成させて音声出力手段へ出力させる。さらに、制御手段は、音声コールモード中に音声コールキーが一回押下されると、音声コールモードを解除するとともに、記憶手段から対応する音声データを読み出して信号処理手段に該データに基づく音声信号を生成させて音声出力手段へ出力させる。
【０００９】
上記のようにすると、音声コールキーは他の操作キーと異なる形状または位置に設けられているので、視覚によらず触覚により音声コールキーを容易かつ確実に押下して音声コールモードを開始または解除することができる。また、音声コールキーが押下されたときに該キーの内容が音声により通知されるので、視覚によらず聴覚により音声コールモードの開始または解除の状態を把握することができる。さらに、音声コールモード中は、いずれの操作キーを押下してもそのキーの内容が音声により通知されるので、視覚によらず聴覚により全ての操作キーがどのようなキーであるかを認識することができる。よって、視覚によらず各操作キーを認識して、操作キーおよびＡＶ機器の操作を容易に行うことが可能となる。
【００１０】
また、本発明の一実施形態では、上述した構成に加えて、前記操作キーが設けられ各操作キーの押下状態を示す信号を発信するリモートコントローラと、該ＡＶ機器の本体に設けられリモートコントローラが発信した信号を受信する受信手段とを備え、リモートコントローラは、音声コールキーの押下状態が継続している間、該押下状態を示す信号を発信し続け、制御手段は、リモートコントローラが発信した音声コールキーの押下状態を示す信号を受信手段によって受信し続けている間、対応する音声データに基づく音声信号を信号処理手段から音声出力手段へ繰り返し出力させる。
【００１１】
従来の一般的なリモートコントローラは、設けられている操作キーの押下時または押下解除時に該操作キーの押下状態を示す信号を一時的に発信するため、リモートコントローラとＡＶ機器の本体とがリモートコントローラの発信信号を受信手段で受信できない位置にそれぞれありかつ目が不自由等の理由によりＡＶ機器の本体の位置が分からない場合には、リモートコントローラに設けられた操作キーを何回押下しても、ＡＶ機器を動作させることはできなかった。然るに、上記のようにすると、リモートコントローラを持って該リモートコントローラに設けられた音声コールキーを押下したまま、その場で回転したり前後左右に移動したりしてリモートコントローラの向きや位置を変えることにより、リモートコントローラの発信信号が受信手段で受信可能な向きおよび位置にリモートコントローラを動かしたときに、対応する音声が音声出力手段から繰り返し出力されるので、視覚によらず聴覚によりＡＶ機器の本体の位置を容易かつ確実に把握することができる。このため、リモートコントローラの操作キーによりＡＶ機器を容易に操作することが可能となり、また音声コールモードを開始するためにリモートコントローラの音声コールキーを何回も押下する必要がなくなる。
【００１２】
また、本発明の一実施形態では、前記記憶手段には、所定の前記操作キーに対して複数種類の音声データが記憶されていて、制御手段は、音声コールモード中に所定の操作キーが押下されたときに取り扱う音声データの種類を操作キーの操作によって選択させて設定する。
【００１３】
このようにすると、音声コールモード中に所定の操作キーを押下したときに出力される該操作キーの内容を示す音声を、操作キーの操作によって、即ち視覚によらず聴覚と触覚によって好みの種類に設定することができる。
【００１４】
さらに、本発明の典型的な実施形態では、本体およびリモートコントローラに設けられた複数の操作キーと、本体に設けられ、リモートコントローラから発信される各操作キーの操作状態を示す信号を受信するリモコン受信部と、各操作キーの操作に応じて各部の動作を制御する制御部とを備え、放送電波より所定のチャンネルのテレビジョン信号を抽出して、該信号に基づく映像をディスプレイに表示させかつ音声をスピーカから出力させるテレビジョン受像機において、操作キーの１つであって、他の操作キーと異なる形状または位置に設けられ、スピーカから音声を出力させる音声コールモードを開始および解除する音声コールキーと、各操作キーの内容を通知する音声データが各操作キー毎に関連付けて記憶され、かつ操作キーのうち視聴するチャンネルを切り替えるチャンネルキーに対して各チャンネルを識別可能な複数種類の音声データが記憶された記憶部と、音声データに基づいてスピーカに音声を出力させることが可能な音声信号を生成する信号処理部とを備える。なお、「各操作キーの内容」とは、各操作キーの名称または各操作キーの操作に応じた機能若しくは動作等のような、各操作キーを識別する情報のことである。また、「各チャンネルを識別可能な複数種類の音声データ」とは、各チャンネル番号または各チャンネルの放送を行っている放送局名等を示す音声データのことである。
【００１５】
この構成において、音声コールキーが一回押下されると、制御部は、音声コールモードを開始するとともに、記憶部から対応する音声データを読み出して信号処理部に該データに基づく音声信号を生成させてスピーカから該信号に基づく音声を出力させる。また、リモートコントローラに設けられた音声コールキーの押下状態が継続されると、リモートコントローラは該押下状態を示す信号を発信し続け、制御部は、リモートコントローラが発信した該信号をリモコン受信部によって受信し続けている間、スピーカから前記音声を繰り返し出力させる。また、音声コールモード中に音声コールキー以外の操作キーのいずれかが押下されると、制御部は、記憶部から対応する音声データを読み出して信号処理部に該データに基づく音声信号を生成させてスピーカから該信号に基づく音声を出力させる。また、音声コールキーが所定時間内に複数回連続して押下されると、制御部は、音声コールモード中にチャンネルキーが押下されたときに取り扱う音声データの種類を音声コールキーの操作によって選択する方法を信号処理部およびスピーカを介して音声により通知し、通知後選択された種類の音声データを取り扱い可能に設定する。さらに、音声コールモード中に音声コールキーが一回押下されると、制御部は、音声コールモードを解除するとともに、記憶部から対応する音声データを読み出して信号処理部に該データに基づく音声信号を生成させてスピーカから該信号に基づく音声を出力させる。
【００１６】
上記のようにすると、音声コールキーは他の操作キーと異なる形状または位置に設けられているので、視覚によらず触覚により音声コールキーを容易かつ確実に押下して音声コールモードを開始または解除することができる。また、音声コールキーが押下されたときに該キーの内容が音声により通知されるので、視覚によらず聴覚により音声コールモードの開始または解除の状態を把握することができる。また、音声コールモード中は、いずれの操作キーを押下してもそのキーの内容が音声により通知されるので、視覚によらず聴覚により全ての操作キーがどのようなキーであるかを認識することができる。また、リモートコントローラとテレビジョン受像機の本体とがリモートコントローラの発信信号をリモコン受信部で受信できない位置にそれぞれありかつテレビジョン受像機の本体の位置が分からない場合には、リモートコントローラの音声コールキーを押下したままリモートコントローラの向きや位置を変えることにより、発信信号を受信可能な向きおよび位置にリモートコントローラを動かしたときに、対応する音声がスピーカから繰り返し出力されるので、視覚によらず聴覚によりテレビジョン受像機の本体の位置を容易かつ確実に把握することができる。さらに、チャンネルキーに対して複数種類の音声データを設け、音声コールキーを所定時間内に複数回連続して押下することにより、音声コールモード中にチャンネルキーを押下したときに取り扱う音声データを操作キーの操作によって選択することができるので、視覚によらず聴覚と触覚によってスピーカから出力させる音声を好みの種類に容易に設定することが可能となり、視聴するチャンネルの内容が一層分かり易くなる。よって、視覚によらず各操作キーを認識して、操作キーおよびテレビジョン受像機の操作を容易に行うことが可能となる。
【発明の効果】
【００１７】
本発明によれば、音声コールキーが他の操作キーと異なる形状または位置に設けられているので、視覚によらず音声コールキーを容易かつ確実に押下して音声コールモードを開始または解除することができ、音声コールキーの押下時に該キーの内容が音声により通知されるので、視覚によらず音声コールモードの開始または解除の状態を把握することができ、音声コールモード中はいずれの操作キーを押下してもそのキーの内容が音声により通知されるので、視覚によらず各操作キーがどのようなキーであるかを認識することができ、これらの結果操作を容易に行うことが可能となる。
【発明を実施するための最良の形態】
【００１８】
図１は、ＤＶＤプレーヤ・ビデオデッキ内蔵型テレビジョン受像機の電気ブロック図である。図１の破線で囲んでいる部分がＤＶＤプレーヤ・ビデオデッキ内蔵型テレビジョン受像機（以下、単に「内蔵型テレビ」という。）１の本体１０であり、本体１０の下に示している部分が内蔵型テレビ１の遠隔操作用のリモートコントローラ（以下、単に「リモコン」という。）２０である。
【００１９】
本体１０において、制御部２は、ＣＰＵとＲＯＭやＲＡＭ等のメモリ等から構成されていて、内蔵型テレビ１の各部の動作を制御する。記憶部３は、ＲＯＭやＲＡＭや不揮発性のメモリ等から構成されていて、該記憶部３の所定領域には、制御部２が各部の動作を制御するためのデータと、後述する音声データ等がそれぞれ記憶されている。チューナ５は、高周波増幅回路と周波数変換回路等から構成されていて、アンテナ４で受信されたテレビジョン放送電波から所定のチャンネルのテレビジョン信号を抽出する。ＤＶＤプレーヤ部６は、光ピックアップやモータやサーボ回路や信号処理回路等から構成されていて、図示しないＤＶＤ（Digital Versatile Disk）に記録された映像および音声のデータを読み取って再生する。ビデオデッキ部７は、ヘッドやシリンダやモータや信号処理回路等から構成されていて、図示しないビデオカセットの磁気テープに記録された映像および音声のデータを読み取って再生したり、磁気テープに映像および音声のデータを記録したりする。外部インターフェイス８は、コネクタや通信用の回路等から構成されていて、内蔵型テレビ１に外付け（ケーブルにより接続）された図示しないビデオデッキやデジタルカメラ等から信号を受信する。
【００２０】
信号処理部９は、中間周波増幅回路、検波回路、同期回路、アナログ・デジタル信号変換回路、信号分離回路、および信号合成回路等から構成されていて、チューナ５、ＤＶＤプレーヤ部６、ビデオデッキ部７、または外部インターフェイス８より入力されるテレビジョン信号からＣＲＴ（Cathode Ray Tube）１２に映像を表示可能な映像信号およびスピーカ１４から音声を出力可能な音声信号を生成して出力する。また、信号処理部９は、記憶部３に記憶された音声データに基づいてスピーカ１４から音声を出力可能な音声信号を生成して出力する。ＣＲＴ駆動部１１は、偏向回路とフライバックトランス等から構成されていて、ＣＲＴ１２に電流及び電圧を供給して信号処理部９から入力される映像信号に基づく映像を表示させる。音声アンプ１３は、低周波増幅回路等から構成されていて、信号処理部９から入力される音声信号を増幅して、スピーカ１４へ出力する。スピーカ１４は、増幅された音声信号に基づいて音声を出力する。
【００２１】
操作部１５は、押下操作する複数の操作キー１６とＬＥＤとキー入力検出回路等から構成されていて、各操作キー１６の押下状態を示す信号を制御部２に出力する。１６ａは操作キー１６の１つである音声コールキーである。この音声コールキー１６ａは、他の操作キー１６と異なる形状または位置に設けられていて、各操作キー１６の押下時にスピーカ１４から対応する音声を出力させる後述の音声コールモードを開始および解除するとき等に押下する。制御部２は、操作部１５より入力される信号から各操作キー１６の押下状態を検知し、各操作キー１５の操作に応じて各部の動作を制御する。リモコン受信部１７は、受信素子と信号検出回路等から構成されていて、リモコン２０から発信された赤外線信号を受信して、制御部２に出力する。これらの他にも、内蔵型テレビ１の本体１０には、電源部等のような公知のテレビを構成する種々の要素があるが、ここでは図示及び説明を省略する。
【００２２】
リモコン２０には、押下操作する複数の操作キー２１とマイクロコンピュータと発信素子とダイオード２２（図２に図示）と信号送信回路等が設けられている。図２は、リモコン２０の外観図である。図２において、操作キー２１として、電源キー、チャンネルキー２１ｂ、音量キー、再生キー、停止キー、および音声コールキー２１ａ等の種々のキーが設けられている。また、各操作キー２１の上面または近傍には、各操作キー２１の名称等が印字により常時表示されている。上述した本体１０の操作キー１６にも、これらと略同様のキーおよび表示が設けられている。また、上述したＣＲＴ１２の画面には、一部の操作キー１６、２１の押下時に該操作キー１６、２１の名称等が一時的にＯＳＤ（On Screen Display）により表示される。音声コールキー２１ａは、他の操作キー２１と異なる形状および位置（詳しくは、他の操作キー２１より大きくかつ他の操作キー２１から離れたリモコン２０の下側位置）に設けられていて、上述した本体１０の音声コールキー１６ａと同様に後述の音声コールモードを開始または解除するとき等に押下する。音声コールキー１６ａ、２１ａの機能等は同一である。
リモコン２０は、各操作キー２１の押下状態を検出して、該押下状態を示す赤外線信号を発信する。その際、押下されたのが音声コールキー２１ａであれば、リモコン２０は、音声コールキー２１ａの押下状態が継続している間、該押下状態を示す赤外線信号を発信し続け、押下されたのが音声コールキー２１ａ以外の操作キー２１であれば、リモコン２０は、操作キー２１が押下された時または押下解除された時に一時的に該押下状態を示す赤外線信号を発信する。リモコン２０が発信した信号は、リモコン受信部１７で受信されて制御部２に出力される。制御部２は、リモコン受信部１７より入力される信号から各操作キー２１の押下状態を検知し、各操作キー２１の操作に応じて各部の動作を制御する。
【００２３】
以上の構成において、内蔵型テレビ１は、本発明におけるＡＶ機器およびテレビジョン受像機の一実施形態を構成する。制御部２は、本発明における制御部および制御手段の一実施形態を構成する。記憶部３は、本発明における記憶部および記憶手段の一実施形態を構成する。信号処理部９は、本発明における信号処理部および信号処理手段の一実施形態を構成する。ＣＲＴ１２は、本発明におけるディスプレイの一実施形態を構成する。スピーカ１４は、本発明におけるスピーカの一実施形態を構成し、スピーカ１４と音声アンプ１３は、本発明における音声出力手段の一実施形態を構成する。リモコン受信部１７は、本発明におけるリモコン受信部および受信手段の一実施形態を構成する。リモコン２０は、本発明におけるリモートコントローラの一実施形態を構成する。操作キー１６、２１は、本発明における操作キーの一実施形態を構成する。音声コールキー１６ａ、２１ａは、本発明における音声コールキーの一実施形態を構成する。
【００２４】
図３は、記憶部３の所定領域に記憶されたチャンネル設定情報である。このチャンネル設定情報は、内蔵型テレビ１で受信するチャンネルを設定したときに、記憶部３に記憶される。図３において、チャンネル位置の欄には、チャンネルの設定位置、即ち上述したチャンネルキー２１ｂに割り当てられたチャンネルキー２１ｂにより切り替え可能な番号が記憶されている。表示チャンネルの欄には、ＣＲＴ１２の画面に表示するチャンネル番号が記憶されている。なお、数字の後に付している「ｃｈ」の文字は、「ｃｈａｎｎｅｌ」の略式表示である。受信チャンネルの欄には、アンテナ４等を介して受信したチャンネル番号、即ち各放送局が提供する放送に割り当てられたチャンネル番号が記憶されている。放送局名の欄には、受信チャンネルのチャンネル番号の放送を提供する放送局の名称が記憶されている。チャンネル位置と表示チャンネルは、ユーザが任意に変更できるが、受信チャンネルと放送局名は、テレビジョン放送の規格で規定されていて、ユーザが任意に変更できない。
【００２５】
図３では、例えばチャンネル位置の「１」、即ちチャンネルキー２１ｂの「１」（図２）に、受信チャンネル「１９ｃｈ」で放送局名「Ａテレビ」の放送が関連付けて設定されているとともに、表示チャンネル「１９ｃｈ」が関連付けて設定されている。また、チャンネル位置の「２」、即ちチャンネルキー２１ｂの「２」（図２）に、受信チャンネル「２ｃｈ」で放送局名「ＢＢＢ」の放送が関連付けて設定されているとともに、表示チャンネル「２ｃｈ」が関連付けて設定されている。
【００２６】
図４は、記憶部３の所定領域に記憶された音声コール情報である。この音声コール情報は、一部を除いては、内蔵型テレビ１の製造段階で記憶部３に記憶される。図４において、操作キーの欄には、上述した各操作キー１６、２１の名称が記憶されている。「１」、「２」等の数字は、上述したチャンネルキー２１ｂを示している。音声データの欄には、各操作キー１６、２１の内容を通知する音声データが各操作キー１６、２１毎に関連付けて記憶されている。なお、各操作キー１６、２１の内容とは、各操作キー１６、２１の名称または各操作キー１６、２１の操作に応じた機能若しくは動作等のような、各操作キー１６、２１を識別する情報のことである。所定の操作キー１６、２１に対しては、複数種類の音声データが関連付けて記憶されている。
【００２７】
図４では、例えば、音声コールキー１６ａ、２１ａには、後述する音声コールモードの開始または解除（データ１、データ２）や、後述する音声メニュー設定の開始および通知内容の選択方法（データ３）等を通知する音声データが関連付けて記憶されている。また、チャンネルキー２１ｂに対しては、上述した受信チャンネル（データ１）や、放送局名（データ２）等といった各チャンネルを識別可能な複数種類の内容を通知する音声データが関連付けて記憶されている。さらに、ＤＶＤキーに対しては、上述したＤＶＤプレーヤ６の起動を通知する音声データが、再生キーに対しては、再生の実行を通知する音声データがそれぞれ１つずつ関連付けて記憶されている。チャンネルキー２１ｂの上記各種音声データは、内蔵型テレビ１の製造段階で記憶部３の別の領域に記憶されていて、上述したチャンネル設定情報（図３）が記憶部３の所定領域に記憶された後に、該チャンネル設定情報に基づいて各チャンネルキー２１ｂにそれぞれ関連付けられて記憶される。チャンネルキー２１ｂ以外の操作キー１６、２１の上記各種音声データは、内蔵型テレビ１の製造段階で記憶部３に記憶される。
【００２８】
図５は、内蔵型テレビ１の動作手順の一例を示すフローチャートである。各処理は制御部２が実行する。内蔵型テレビ１の電源コードがコンセントに接続されることにより内蔵型テレビ１に電力が供給され、かつ本体１０の主電源スイッチがＯＮされている待機状態（内蔵型テレビ１が映像や音声を出力可能に起動していてもしていなくてもよい）で、制御部２は、本体１０またはリモコン２０のいずれかの操作キー１６、２１が押下されたか否かを判定する（ステップＳ１）。ユーザによりいずれかの操作キー１６、２１が押下されると、該押下状態を示す信号が操作部１５からまたはリモコン受信部１７を介してリモコン２０から入力されるので、制御部２は、いずれかの操作キー１６、２１が押下されたと判断する（ステップＳ１：ＹＥＳ）。
【００２９】
そして、制御部２は、現在音声コールモード中か否かを判定し（ステップＳ２）、音声コールモード中でなければ（ステップＳ２：ＮＯ）、ステップＳ３で押下されたのが音声コールキー１６ａ、２１ａか否かを判定する。ここで、押下されたのが音声コールキー１６ａ、２１ａ以外の操作キー１６、２１であれば（ステップＳ３：ＮＯ）、制御部２は、押下された操作キー１６、２１に応じた動作を行うように各部を制御して（ステップＳ４）、待機状態に戻る。
【００３０】
ステップＳ３で押下されたのが音声コールキー１６ａ、２１ａであれば（ステップＳ３：ＹＥＳ）、制御部２は、音声コールモードを開始する（ステップＳ５）。またこれとともに、制御部２は、記憶部３に記憶された前述の音声コール情報（図４）から、対応する音声データとして音声コールモードの開始を通知する音声データを読み出して、信号処理部９に該データに基づく音声信号を生成させ、スピーカ１４から該信号に基づく音声、即ち音声コールモードの開始を通知する音声を出力させる（ステップＳ６）。続けて、制御部２は、押下されたのがリモコン２０の音声コールキー２１ａか否かを判定し（ステップＳ７）、押下されたのが本体１０の音声コールキー１６ａであれば（ステップＳ７：ＮＯ）、待機状態に戻る。
【００３１】
ステップＳ７で押下されたのがリモコン２０の音声コールキー２１ａであれば（ステップＳ７：ＹＥＳ）、制御部２は、音声コールキー２１ａの押下状態が継続中か否かを判定する（ステップＳ８）。ユーザにより音声コールキー２１ａが一回押下されて即座に押下解除された場合は、リモコン２０が音声コールキー２１ａの押下状態を示す信号の発信を止めるので、該信号をリモコン受信部１７で受信できなくなることにより、制御部２は、音声コールキー２１ａの押下状態が継続中ではないと判断する（ステップＳ８：ＮＯ）。このように判断すると、制御部２は待機状態に戻る。
【００３２】
上記に対して、ユーザにより音声コールキー２１ａが押下され続けている場合は、前述したようにリモコン２０が音声コールキー２１ａの押下状態を示す信号を発信し続けるので、該信号がリモコン受信部１７で受信され続けることにより、制御部２は、音声コールキー２１ａの押下状態が継続中であると判断する（ステップＳ８：ＹＥＳ）。このように判断すると、制御部２は、再びスピーカ１４から音声コールモードの開始を通知する音声を出力させ（ステップＳ６）、上記のようにステップＳ７、Ｓ８の処理を実行する。ステップＳ６〜Ｓ８の処理は、音声コールキー２１ａの押下状態が継続されている間繰り返し実行される。つまり、制御部２は、リモコン２０が発信した音声コールキー２１ａの押下状態を示す信号をリモコン受信部１７によって受信し続けている間、スピーカ１４から音声コールモードの開始を通知する音声を所定の周期で繰り返し出力させる。
【００３３】
そしてしばらくしてから、ユーザにより音声コールキー２１ａが押下解除されると、リモコン２０が音声コールキー２１ａの押下状態を示す信号の発信を止めるので、該信号をリモコン受信部１７で受信できなくなることにより、制御部２は、音声コールキー２１ａの押下状態が継続中ではないと判断する（ステップＳ８：ＮＯ）。このように判断すると、制御部２は待機状態に戻る。
【００３４】
一方、ステップＳ１でいずれかの操作キー１６、２１が押下されたと判断した後（ステップＳ１：ＹＥＳ）、音声コールモード中であれば（ステップＳ２：ＹＥＳ）、制御部２は、ステップＳ９で押下されたのが音声コールキー１６ａ、２１ａか否かを判定する。ここで、押下されたのが音声コールキー１６ａ、２１ａ以外の操作キー１６、２１であれば（ステップＳ９：ＮＯ）、制御部２は、押下された操作キー１６、２１に応じた動作を行うように各部を制御する（ステップＳ１０）。またこれとともに、制御部２は、記憶部３の音声コール情報から押下された操作キー１６、２１に対応する音声データを読み出して、信号処理部９に該データに基づく音声信号を生成させ、スピーカ１４から該信号に基づく音声を出力させる（ステップＳ１１）。
【００３５】
例えば押下されたのが電源キー（図２）であれば、ステップＳ１０により内蔵型テレビ１を映像や音声を出力可能に起動させる起動用電源が投入または切断され、ステップＳ１１により電源を投入または切断することを通知する音声がスピーカ１４から出力される。また、例えば押下されたのがＤＶＤキー（図２）であれば、ステップＳ１０によりＤＶＤプレーヤ部６が起動され、ステップＳ１１によりＤＶＤプレーヤ部６を起動することを通知する音声がスピーカ１４から出力される。また、例えば押下されたのが再生キー（図２）であれば、ステップＳ１０により起動しているＤＶＤプレーヤ部６またはビデオデッキ部７に装着されているＤＶＤまたはビデオカセットの記録映像および記録音声が再生され、ステップＳ１１により再生することを通知する音声がスピーカ１４から出力される。さらに、例えば押下されたのがいずれかのチャンネルキー２１ｂ（図２）であれば、ステップＳ１０により視聴可能なチャンネルが押下されたチャンネルキー２１ｂに関連付けられた受信チャンネルに切り替わり、ステップＳ１１により押下されたチャンネルキー２１ｂに関連付けられた受信チャンネルまたは放送局名のいずれかを通知する音声がスピーカ１４から出力される。
【００３６】
ステップＳ９で押下されたのが音声コールキー１６ａ、２１ａであれば（ステップＳ９：ＹＥＳ）、制御部２は、音声コールキー１６ａ、２１ａが所定時間内（例えば数秒以内）に複数回連続して押下されたか否かを判定する（ステップＳ１２）。ユーザにより音声コールキー１６ａ、２１ａが一回だけ押下された場合は、操作部１５からのまたはリモコン受信部１７を介してリモコン２０からの入力信号により、制御部２は、音声コールキー１６ａ、２１ａが所定時間内に複数回連続して押下されていないと判断する（ステップＳ１２：ＮＯ）。このように判断すると、制御部２は、音声コールモードを解除する（ステップＳ１４）。またこれとともに、制御部２は、記憶部３の音声コール情報から対応する音声データとして音声コールモードの終了を通知する音声データを読み出して、信号処理部９に該データに基づく音声信号を生成させ、スピーカ１４から該信号に基づく音声、即ち音声コールモードの解除を通知する音声を出力させる（ステップＳ１５）。この後、制御部２は待機状態に戻る。
【００３７】
上記に対して、ユーザにより音声コールキー１６ａ、２１ａが所定時間内に複数回連続して押下された場合は、操作部１５からまたはリモコン受信部１７を介してリモコン２０から該押下状態を示す信号が断続的に入力されて来るので、制御部２は、音声コールキー１６ａ、２１ａが所定時間内に複数回連続して押下されたと判断する（ステップＳ１２：ＹＥＳ）。このように判断すると、制御部２は、音声メニュー設定処理を実行する（ステップＳ１３）。
【００３８】
図６は、音声メニュー設定処理の詳細を示すフローチャートである。まず制御部２は、記憶部３の音声コール情報から対応する音声データとして音声メニュー設定の開始を通知する音声データを読み出して、信号処理部９に該データに基づく音声信号を生成させ、スピーカ１４から該信号に基づく音声、即ち音声メニュー設定の開始を通知する音声を出力させる（ステップＳ２１）。続けて、制御部２は、チャンネルキー２１ｂの押下時に通知する音声の種類、即ち各チャンネルキー２１ｂに関連付けられた複数の音声データのうち、音声コールモード中にチャンネルキー２１ｂが押下されたときに信号処理部９等で取り扱う音声データの種類を音声コールキー１６ａ、２１ａの操作によって選択するために、その選択方法を通知する音声データを記憶部３の音声コール情報から読み出して、信号処理部９に該データに基づく音声信号を生成させ、スピーカ１４から該信号に基づく音声を出力させる（ステップＳ２２）。上記選択方法を通知する音声は、例えば、「チャンネルキー２１ｂの押下時に受信チャンネルを通知させたければ、音声コールキー１６ａ、２１ａを１回、放送局名を通知させたければ、音声コールキー１６ａ、２１ａを２回押下して下さい」というような内容にしておけばよい。
【００３９】
そして、上記音声を聴いたユーザが上記選択方法に従って音声コールキー１６ａ、２１ａを操作すると、制御部２は、上記選択方法に基づいた音声コールキー１６ａ、２１ａの操作が有ったと判断し（ステップＳ２３）、選択された種類の音声データを取り扱い可能に設定する（ステップＳ２４）。取り扱い可能に設定するというのは、例えば、各チャンネルキー２１ｂに関連付けられた複数の音声データのうち、選択された種類の音声データに読み出し可能フラグ（例えば「１」）を付し、他の音声データに読み出し不可能フラグ（例えば「０」）を付すというような処理である。次いで、制御部２は、選択された種類の音声を通知するように設定したことを通知する音声データを記憶部３の音声コール情報から読み出して、信号処理部９に該データに基づく音声信号を生成させ、スピーカ１４から該信号に基づく音声を出力させる（ステップＳ２５）。そして、制御部２は待機状態に戻る。
【００４０】
この後、ユーザによりいずれかのチャンネルキー２１ｂが押下されると（図５のステップＳ１：ＹＥＳ、ステップＳ２：ＹＥＳ、ステップＳ９：ＮＯ）、ステップＳ１０により視聴可能なチャンネルが押下されたチャンネルキー２１ｂに関連付けられた受信チャンネルに切り替わり、ステップＳ１１により押下されたチャンネルキー２１ｂに関連付けられかつ上記音声メニュー設定処理で取り扱い可能に設定された（音声コールキー１６ａ、２１ａの操作により選択された）受信チャンネルまたは放送局名を通知する音声がスピーカ１４から出力される。
【００４１】
以上によると、内蔵型テレビ１の本体１０およびリモコン２０には、音声コールキー１６ａ、２１ａが他の操作キー１６、２１と異なる形状または位置に設けられているので、視覚によらず触覚により音声コールキー１６ａ、２１ａを容易かつ確実に押下して音声コールモードを開始または解除することができる。また、音声コールキー１６ａ、２１ａが押下されたときに該キー１６ａ、２１ａの内容が音声により通知されるので、視覚によらず聴覚により音声コールモードの開始または解除の状態を把握することができる。また、音声コールモード中は、いずれの操作キー１６、２１を押下してもそのキー１６、２１の内容が音声により通知されるので、視覚によらず聴覚により全ての操作キー１６、２１がどのようなキーであるかを認識することができる。
【００４２】
また、従来の一般的なリモコンは、設けられた操作キーの押下時または押下解除時に該操作キーの押下状態を示す信号を一時的に発信するため、リモコンとＡＶ機器本体とがリモコンの発信信号を受信手段で受信できない位置にそれぞれありかつ目が不自由等の理由によりＡＶ機器の本体の位置が分からない場合には、リモコンの操作キーを何回押下しても、ＡＶ機器を動作させることはできなかった。然るに、上述した内蔵型テレビ１によると、リモコン２０は音声コールキー１６ａ、２１ａの押下状態が継続している間、該押下状態を示す信号を発信し続け、制御部２は該信号をリモコン受信部１７で受信し続けている間、対応する音声をスピーカ１４から繰り返し出力させるので、上記場合において、例えば図７に示すように室内４０に居る目の不自由なユーザ３０がリモコン２０を持って音声コールキー２１ａを押下したまま、その場で回転したり前後左右に移動したりしてリモコン２０の向きや位置を変えることによって、リモコン２０の発信信号が内蔵型テレビ１の本体１０のリモコン受信部１７で受信可能になったときに、対応する音声がスピーカ１４から繰り返し出力されて、視覚によらず聴覚により内蔵型テレビ１の本体１０の位置を容易かつ確実に把握することができる。また、音声コールモードを開始するためにリモコン２０の音声コールキー２１ａを何回も押下する必要がなくなる。
【００４３】
さらに、チャンネルキー２１ｂに対して複数種類の音声データを設け、音声コールキー１６ａ、２１ａを所定時間内に複数回連続して押下することにより、音声コールモード中にチャンネルキー２１ｂを押下したときに取り扱う音声データを音声コールキー１６ａ、２１ａだけの操作によって選択することができるので、視覚によらず聴覚と触覚によってスピーカ１４から出力させる音声を好みの種類に極めて容易に設定することが可能となり、視聴するチャンネルの内容が一層分かり易くなる。
【００４４】
上記の結果、目の不自由なユーザや、周囲が暗かったり操作キー１６、２１やＣＲＴ１２の近くに寄れなかったりして操作キー１６、２１の内容の表示が見難い状況下のユーザであっても、視覚によらず各操作キー１６、２１を認識して、操作キー１６、２１および内蔵型テレビ１の操作を容易に行うことが可能となる。
【００４５】
本発明は、以上述べた実施形態以外にも種々の形態を採用することができる。例えば、以上の実施形態では、音声コールモード中に音声コールキー１６ａ、２１ａが所定時間内に複数回連続押下されたときに、音声メニュー設定処理を実行する例を挙げているが、本発明はこれのみに限定するものではなく、音声コールモードが解除されている場合に音声メニュー設定処理を実行するようにしてもよい。また、音声メニュー設定処理では、チャンネルキー２１ｂ以外の操作キー１６、２１の音声の種類を選択し設定できるようにしてもよい。さらに、音声の種類の選択は、音声コールキー１６ａ、２１ａ以外の操作キー１６、２１の操作によって選択できるようにしてもよい。
【００４６】
また、以上の実施形態では、リモコン２０の音声コールキー２１ａの押下状態が継続されたときに、対応する音声をスピーカ１４から繰り返し出力する例を挙げているが、本発明はこれのみに限定するものではなく、本体１０の音声コールキー１６ａの押下状態が継続されたときにも、対応する音声をスピーカ１４から繰り返し出力するようにしてもよい。
【００４７】
また、以上の実施形態では、音声コールモード中に再生キーが押下されたときに、単に再生することを通知する音声をスピーカ１４から出力する例を挙げているが、本発明はこれのみに限定するものではなく、例えばビデオカセットまたはＤＶＤを再生することを通知する音声、即ち処理対象の記録媒体と処理内容とを通知する音声をスピーカ１４から出力するようにしてもよい。このようにすると内蔵型テレビ１のＤＶＤプレーヤ部６やビデオデッキ部７の動作状態が一層分り易くなる。
【００４８】
さらに、以上の実施形態では、ＤＶＤプレーヤ・ビデオデッキ内蔵型テレビジョン受像機１に、本発明を適用した場合を例に挙げているが、本発明はこれ以外にも、例えば単一型のテレビジョン受像機、デジタルカメラ、ビデオカメラ、ラジオ、またはステレオ等のＡＶ機器に適用することが可能である。また、ビデオデッキ、ＤＶＤプレーヤ、ＤＶＤレコーダ、ハードディスクレコーダ、またはＤＶＤ・ＨＤＤレコーダ等のようなスピーカを内蔵していないＡＶ機器にも適用することが可能である。スピーカを内蔵していないＡＶ機器に適用する場合は、該ＡＶ機器に外付けされた（ケーブル等により接続された）スピーカ等の音声出力手段や、該ＡＶ機器に外付けされたテレビジョン受像機等の他のＡＶ機器に内蔵されたスピーカ等の音声出力手段を用いて、各操作キーに対応する音声を出力するようにすればよい。
【図面の簡単な説明】
【００４９】
【図１】本発明の実施形態に係るＤＶＤプレーヤ・ビデオデッキ内蔵型テレビジョン受像機の電気ブロック図である。
【図２】同受像機のリモコンの外観図である。
【図３】同受像機の記憶部の記憶内容の一例を示す図である。
【図４】同受像機の記憶部の記憶内容の一例を示す図である。
【図５】同受像機の動作手順の一例を示すフローチャートである。
【図６】同受像機の動作手順の一例を示すフローチャートである。
【図７】同受像機の使用例を示す図である。
【符号の説明】
【００５０】
１  ＤＶＤプレーヤ・ビデオデッキ内蔵型テレビジョン受像機
２  制御部
３  記憶部
９  信号処理部
１０  本体
１２  ＣＲＴ
１３  音声アンプ
１４  スピーカ
１６  操作キー
１６ａ  音声コールキー
１７  リモコン受信部
２０  リモートコントローラ
２１  操作キー
２１ａ  音声コールキー
２１ｂ  チャンネルキー
【図１】
2006254263.tif 000003
【図２】
2006254263.tif 000004
【図３】
2006254263.tif 000005
【図４】
2006254263.tif 000006
【図５】
2006254263.tif 000007
【図６】
2006254263.tif 000008
【図７】
2006254263.tif 000009